(57)【要約】【課題】犬猫等の爪によりできる木製床の表面の傷を無くし、犬猫等自身への目や耳の傷を無くし、犬猫等が室内等の床面の上を滑らず自由に走れるようにする。【解決の手段】犬猫等の爪にカバーする爪カバーで、犬猫等の爪は爪カバーの袋に入れ、前肢の掌球、後肢の足底球及び指球の三種類の肉球の内、一部の肉球を爪カバーの袋から出し、又は全部の肉球を爪カバーの袋から出し、犬猫等が室内等の床面の上を滑らず自由に走れるようにした、以上のことを特徴とする爪カバー。【選択図】    図３
2004215627.tif 000002
【特許請求の範囲】
【請求項１】
犬猫等の爪Ｗ、指球Ｚ及び狼爪にカバーする爪カバーで、爪カバーの表面部材Ａの長さは爪カバーの裏面部材Ｂの長さより長くし、爪カバーの表面部材Ａと爪カバーの裏面部材Ｂを接続して取り付け爪カバーの袋を造り、爪カバーの表面部材Ａの端にベルトＥを取り付け、ベルトＥの両端に面ファスナー結合式等の結合式Ｇ１，Ｇ２を取り付け、面ファスナー結合式等の結合式Ｇ１と面ファスナー結合式等の結合式Ｇ２は結合ができるように造って取り付け、爪カバーの裏面部材Ｂの前肢の掌球Ｙが接する部分を切り取り、又は爪カバーの裏面部材Ｂの後肢の足底球Ｙが接する部分を切り取り、その切り取った部分の爪カバーの裏面部材Ｂの両脇に輪Ｃを造り、両脇の輪Ｃに伸縮性の有るベルトＤを通して、ベルトＤの両端に面ファスナー結合式等の結合式Ｆ１，Ｆ２を取り付け、面ファスナー結合式等の結合式Ｆ１と面ファスナー結合式等の結合式Ｆ２は結合ができるように取り付け、前肢の掌球Ｙは爪カバーの袋から出し、又は後肢の足底球Ｙは爪カバーの袋から出し、爪Ｗ及び指球Ｚは爪カバーの袋に入れ、爪カバーを前肢に装着するときは狼爪をベルトＥで包み込み、犬猫等が室内等の床面の上を滑らず自由に走れるようにした、以上のことを特徴とする爪カバー。
【請求項２】
犬猫等の爪Ｗ、指球Ｚ及び狼爪にカバーする爪カバーで、爪カバーの表面部材Ａの長さは爪カバーの裏面部材Ｂの長さより長くし、爪カバーの表面部材Ａと爪カバーの裏面部材Ｂを接続して取り付け爪カバーの袋を造り、爪カバーの表面部材Ａの端にベルトＥを取り付け、ベルトＥの両端に面ファスナー結合式等の結合式Ｇ１，Ｇ２を取り付け、面ファスナー結合式等の結合式Ｇ１と面ファスナー結合式等の結合式Ｇ２は結合ができるように造って取り付け、爪カバーの裏面部材Ｂの前肢の掌球Ｙが接する部分を切り取り、又は爪カバーの裏面部材Ｂの後肢の足底球Ｙが接する部分を切り取り、その切り取った部分の爪カバーの裏面部材Ｂの両脇に輪Ｃを造り、両脇の輪Ｃに伸縮性の有るベルトＤを通して、ベルトＤの両端に面ファスナー結合式等の結合式Ｆ１，Ｆ２を取り付け、面ファスナー結合式等の結合式Ｆ１と面ファスナー結合式等の結合式Ｆ２は結合ができるように取り付け、爪カバーの袋の底面である裏面部材Ｂに滑り止め兼補強材Ｊを取り付け、及び爪カバーの袋の周りに滑り止め兼補強材Ｊを取り付け、爪カバーの表面部材Ａに複数の換気口Ｈを取り付け、前肢の掌球Ｙは爪カバーの袋から出し、又は後肢の足底球Ｙは爪カバーの袋から出し、爪Ｗ及び指球Ｚは爪カバーの袋に入れ、爪カバーを前肢に装着するときは狼爪をベルトＥで包み込み、犬猫等が室内等の床面の上を滑らず自由に走れるようにした、以上のことを特徴とする爪カバー。
【請求項３】
犬猫等の爪にカバーする爪カバーで、犬猫等の爪は爪カバーの袋に入れ、前肢の掌球、後肢の足底球及び指球の三種類の肉球の内、一部の肉球を爪カバーの袋から出し、又は全部の肉球を爪カバーの袋から出し、犬猫等が室内等の床面の上を滑らず自由に走れるようにした、以上のことを特徴とする爪カバー。
【発明の詳細な説明】
【０００１】
【発明の属する技術分野】
犬猫等の爪にカバーする爪カバーの技術。
【０００２】
【従来の技術】
犬猫等の足にソックス等を履かせ、犬猫等の肉球がソックス等によって隠れてしまうので、犬猫等は室内等の床面で滑ってしまう。
【０００３】
【発明が解決しようとする課題】
犬猫等の爪によりできる木製床の表面の傷を無くし、犬猫等自身への目や耳の傷を無くし、犬猫等が室内等の床面の上を滑らず自由に走れるようにする。
【０００４】
【課題を解決するための手段】
犬猫等の爪にカバーする爪カバーで、犬猫等の爪は爪カバーの袋に入れ、前肢の掌球、後肢の足底球及び指球の三種類の肉球の内、一部の肉球を爪カバーの袋から出し、又は全部の肉球を爪カバーの袋から出し、犬猫等が室内等の床面の上を滑らず自由に走れるようにした、以上のことを特徴とする爪カバー。
【０００５】
【発明の実施の形態】
第１の発明の実施の形態を実施例にもとづき図面を参照して説明する。
図１，図２及び図３において、犬猫等の爪Ｗ、爪Ｗが付いている指球Ｚ及び狼爪にカバーする爪カバーで、爪カバーの表面部材Ａの長さは爪カバーの裏面部材Ｂの長さより長くし、爪カバーの表面部材Ａと爪カバーの裏面部材Ｂを接続して取り付け爪カバーの袋を造り、爪カバーの表面部材Ａの端にベルトＥを取り付け、ベルトＥの両端に結合式（一般ボタン結合式、スナップボタン結合式、面ファスナー結合式、フック結合式及びファスナー結合式など）Ｇ１，Ｇ２を取り付け、結合式Ｇ１と結合式Ｇ２は結合ができるように取り付け、爪カバーの裏面部材Ｂの前肢の掌球Ｙが接する部分を切り取り、又は爪カバーの裏面部材Ｂの後肢の足底球Ｙが接する部分を切り取り、その切り取った部分の両脇に輪Ｃを造り、両脇の輪Ｃに伸縮性の有るベルトＤを通し、ベルトＤの両端に結合式Ｆ１，Ｆ２を取り付け、結合式Ｆ１と結合式Ｆ２は結合ができるように取り付け、前肢の掌球Ｙと指球Ｚの間の溝に爪カバーの裏面部材Ｂの縁の板状の部分を差し込んで、又は後肢の足底球と指球Ｚの間の溝に爪カバーの裏面部材Ｂの縁の板状の部分を差し込んで、前肢の掌球Ｙは爪カバーの袋から出し、又は後肢の足底球Ｙは爪カバーの袋から出し、爪Ｗ及び指球Ｚは爪カバーの袋に入れ、爪カバーを前肢に装着するときは狼爪をベルトＥで包み込み、犬猫等が室内等の床面の上を滑らず自由に走れるようにした、以上のことを特徴とする爪カバーである。
【０００６】
第２の発明の実施の形態を実施例にもとづき図面を参照して説明する。
図４，図５及び図６において、犬猫等の爪Ｗ、爪Ｗが付いている指球Ｚ及び狼爪にカバーする爪カバーで、爪カバーの表面部材Ａの長さは爪カバーの裏面部材Ｂの長さより長くし、爪カバーの表面部材Ａと爪カバーの裏面部材Ｂを接続して取り付け爪カバーの袋を造り、爪カバーの表面部材Ａの端にベルトＥを取り付け、ベルトＥの両端に結合式（一般ボタン結合式、スナップボタン結合式、面ファスナー結合式、フック結合式及びファスナー結合式など）Ｇ１，Ｇ２を取り付け、結合式Ｇ１と結合式Ｇ２は結合ができるように取り付け、爪カバーの裏面部材Ｂの前肢の掌球Ｙが接する部分を切り取り、又は爪カバーの裏面部材Ｂの後肢の足底球Ｙが接する部分を切り取り、その切り取った部分の両脇に輪Ｃを造り、両脇の輪Ｃに伸縮性の有るベルトＤを通し、ベルトＤの両端に結合式Ｆ１，Ｆ２を取り付け、結合式Ｆ１と結合式Ｆ２は結合ができるように取り付け、爪カバーの袋の底面である裏面部材Ｂに滑り止め兼補強材Ｊを取り付け、及び爪カバーの袋の周りに滑り止め兼補強材Ｊを取り付け、爪カバーの表面部材Ａに複数の換気口Ｈを取り付け、前肢の掌球Ｙと指球Ｚの間の溝に爪カバーの裏面部材Ｂの縁の板状の部分を差し込んで、又は後肢の足底球と指球Ｚの間の溝に爪カバーの裏面部材Ｂの縁の板状の部分を差し込んで、前肢の掌球Ｙは爪カバーの袋から出して、又は後肢の足底球Ｙは爪カバーの袋から出して、爪Ｗ及び指球Ｚは爪カバーの袋に入れ、爪カバーを前肢に装着するときは狼爪をベルトＥで包み込み、犬猫等が室内等の床面の上を滑らず自由に走れるようにした、以上のことを特徴とする爪カバーである。
【０００７】
【実施例】
第１の発明の実施例を図面を参照して説明する。
図１，図２及び図３において、爪カバーの表面部材Ａと爪カバーの裏面部材Ｂは綿布で造り、爪カバーの表面部材Ａの幅と爪カバーの裏面部材Ｂの幅は３６ｍｍにし、爪カバーの表面部材Ａの長さ７２ｍｍ、爪カバーの裏面部材Ｂの長さ３６ｍｍ、爪カバーの表面部材Ａと爪カバーの裏面部材Ｂを接続して取り付け爪カバーの袋を造り、爪カバーの表面部材Ａの端に綿布で造ったベルトＥを取り付け、幅１４ｍｍのベルトＥの両端に面ファスナー結合式Ｇ１，Ｇ２を取り付け、面ファスナー結合式Ｇ１と面ファスナー結合式Ｇ２は結合ができるように取り付け、爪カバーの裏面部材Ｂを前肢の掌球Ｙが接する部分で半径１１ｍｍの半円形に切り取り、又は爪カバーの裏面部材Ｂを後肢の足底球Ｙが接する部分で半径１１ｍｍの半円形に切り取り、爪カバーの裏面部材Ｂを半径１１ｍｍの半円形に切り取った両脇に長さ６ｍｍで厚さ１．５ｍｍの長方形の輪Ｃを造り、両脇の輪Ｃに両端を綿布で造り中央を合成ゴムで造った伸縮性の有る幅６ｍｍで厚さ１．５ｍｍのベルトＤを通して、ベルトＤの両端に面ファスナー結合式Ｆ１，Ｆ２を取り付け、面ファスナー結合式Ｆ１と面ファスナー結合式Ｆ２は結合ができるように取り付け、前肢の掌球Ｙと指球Ｚの間の溝に爪カバーの裏面部材Ｂの縁の板状の部分を差し込み、又は後肢の足底球と指球Ｚの間の溝に爪カバーの裏面部材Ｂの縁の板状の部分を差し込んで、前肢の掌球Ｙは爪カバーの袋から出し、又は後肢の足底球Ｙは爪カバーの袋から出して、爪Ｗ及び指球Ｚは爪カバーの袋に入れ、爪カバーを前肢に装着するときは狼爪をベルトＥで包み込み、犬猫等が室内等の床面の上を滑らず自由に走れるようにした爪カバーである。
【０００８】
第２の発明の実施例を図面を参照して説明する。
図４，図５及び図６において、爪カバーの表面部材Ａと爪カバーの裏面部材Ｂは金属箔又は化学繊維布で造り、爪カバーの表面部材Ａの幅と爪カバーの裏面部材Ｂの幅は３６ｍｍにし、爪カバーの表面部材Ａの長さ７２ｍｍ、爪カバーの裏面部材Ｂの長さ３６ｍｍ、爪カバーの表面部材Ａと爪カバーの裏面部材Ｂを接続して取り付け爪カバーの袋を造り、爪カバーの表面部材Ａの端に化学繊維布で造ったベルトＥを取り付け、ベルトＥの両端に面ファスナー結合式Ｇ１，Ｇ２を取り付け、面ファスナー結合式Ｇ１と面ファスナー結合式Ｇ２は結合ができるように取り付け、爪カバーの裏面部材Ｂを前肢の掌球Ｙが接する部分で半径１１ｍｍの半円形に切り取り、又は爪カバーの裏面部材Ｂを後肢の足底球Ｙが接する部分で半径１１ｍｍの半円形に切り取り、爪カバーの裏面部材Ｂを半径１１ｍｍの半円形に切り取った両脇に長さ６ｍｍで厚さ１．５ｍｍの長方形の輪Ｃを造り、両脇の輪Ｃに両端を化学繊維布で造り中央を合成ゴムで造った伸縮性の有る幅６ｍｍで厚さ１．５ｍｍのベルトＤを通し、ベルトＤの両端に面ファスナー結合式Ｆ１，Ｆ２を取り付け、面ファスナー結合式Ｆ１と面ファスナー結合式Ｆ２は結合ができるように取り付け、爪カバーの袋の底に厚さ２ｍｍの合成ゴムで造った滑り止め兼補強材Ｊを取り付け、及び爪カバーの袋の周りに厚さ２ｍｍの合成ゴムで造った滑り止め兼補強材Ｊを取り付け、爪カバーの表面部材Ａに複数の直径３ｍｍの換気口Ｈを取り付け、前肢の掌球Ｙと指球Ｚの間の溝に爪カバーの裏面部材Ｂの縁の板状の部分を差し込み、又は後肢の足底球と指球Ｚの間の溝に爪カバーの裏面部材Ｂの縁の板状の部分を差し込んで、前肢の掌球Ｙは爪カバーの袋から出し、又は後肢の足底球Ｙは爪カバーの袋から出して、爪Ｗ及び指球Ｚは爪カバーの袋に入れ、爪カバーを前肢に装着するときは狼爪をベルトＥで包み込み、犬猫等が室内等の床面の上を滑らず自由に走れるようにした爪カバーである。
【０００９】
【発明の効果】
犬猫等の爪によりできる木製床の表面の傷が無くなり、犬猫等自身への目や耳の傷が無くなり、犬猫等が室内等の床面の上を滑らず自由に走れるようになる。
【図面の簡単な説明】
【図１】実施例の爪カバーの表面図及び裏面図。
【図２】実施例の爪カバーの断面図。
【図３】実施例の爪カバーの断面図。犬猫等の足に装着した図。
【図４】実施例の爪カバーの表面図及び裏面図。
【図５】実施例の爪カバーの断面図。
【図６】実施例の爪カバーの断面図。犬猫等の足に装着した図。
【符号の説明】
Ａ：爪カバーの表面部材。  Ｂ：爪カバーの裏面部材。  Ｃ：爪カバーの裏面部材Ｂの両脇の輪。  Ｄ：伸縮性の有るベルト。  Ｅ：爪カバーの表面部材Ａの端に取り付けたベルト。  Ｆ１，Ｆ２，Ｇ１，Ｇ２：一般ボタン結合式、スナップボタン結合式、面ファスナー結合式、フック結合式及びファスナー結合式などの結合式。  Ｈ：換気口。  Ｊ：滑り止め兼補強材。  Ｗ：犬猫等の爪。  Ｘ：犬猫等の前肢又は後肢。  Ｙ：前肢の掌球又は後肢の足底球。  Ｚ：指球。
【図１】
2004215627.tif 000003
【図２】
2004215627.tif 000004
【図３】
2004215627.tif 000005
【図４】
2004215627.tif 000006
【図５】
2004215627.tif 000007
【図６】
2004215627.tif 000008
【手続補正書】
【提出日】平成15年6月6日(2003.6.6)
【手続補正１】
【補正対象書類名】明細書
【補正対象項目名】特許請求の範囲
【補正方法】変更
【補正の内容】
【特許請求の範囲】
【請求項１】
犬猫等の爪Ｗ、指球Ｚ及び狼爪にカバーする爪カバーで、爪カバーの表面部材Ａの長さは爪カバーの裏面部材Ｂの長さより長くし、爪カバーの表面部材Ａと爪カバーの裏面部材Ｂを接続して取り付け爪カバーの袋を造り、爪カバーの表面部材Ａの端にベルトＥを取り付け、ベルトＥの両端に面ファスナー結合式等の結合式Ｇ１，Ｇ２を取り付け、面ファスナー結合式等の結合式Ｇ１と面ファスナー結合式等の結合式Ｇ２は結合ができるように造って取り付け、爪カバーの裏面部材Ｂの前肢の掌球Ｙが接する部分を切り取り、又は爪カバーの裏面部材Ｂの後肢の足底球Ｙが接する部分を切り取り、その切り取った部分の爪カバーの裏面部材Ｂの両脇に輪Ｃを造り、両脇の輪Ｃに伸縮性の有るベルトＤを通して、ベルトＤの両端に面ファスナー結合式等の結合式Ｆ１，Ｆ２を取り付け、面ファスナー結合式等の結合式Ｆ１と面ファスナー結合式等の結合式Ｆ２は結合ができるように取り付け、前肢の掌球Ｙは爪カバーの袋から出し、又は後肢の足底球Ｙは爪カバーの袋から出し、爪Ｗ及び指球Ｚは爪カバーの袋に入れ、爪カバーを前肢に装着するときは狼爪をベルトＥで包み込み、犬猫等が室内等の床面の上を滑らず自由に走れるようにした、以上のことを特徴とする爪カバー。
【請求項２】
犬猫等の爪Ｗ、指球Ｚ及び狼爪にカバーする爪カバーで、爪カバーの表面部材Ａの長さは爪カバーの裏面部材Ｂの長さより長くし、爪カバーの表面部材Ａと爪カバーの裏面部材Ｂを接続して取り付け爪カバーの袋を造り、爪カバーの表面部材Ａの端にベルトＥを取り付け、ベルトＥの両端に面ファスナー結合式等の結合式Ｇ１，Ｇ２を取り付け、面ファスナー結合式等の結合式Ｇ１と面ファスナー結合式等の結合式Ｇ２は結合ができるように造って取り付け、爪カバーの裏面部材Ｂの前肢の掌球Ｙが接する部分を切り取り、又は爪カバーの裏面部材Ｂの後肢の足底球Ｙが接する部分を切り取り、その切り取った部分の爪カバーの裏面部材Ｂの両脇に輪Ｃを造り、両脇の輪Ｃに伸縮性の有るベルトＤを通して、ベルトＤの両端に面ファスナー結合式等の結合式Ｆ１，Ｆ２を取り付け、面ファスナー結合式等の結合式Ｆ１と面ファスナー結合式等の結合式Ｆ２は結合ができるように取り付け、爪カバーの袋の底面である裏面部材Ｂに滑り止め兼補強材Ｊを取り付け、及び爪カバーの袋の周りに滑り止め兼補強材Ｊを取り付け、爪カバーの表面部材Ａに複数の換気口Ｈを取り付け、前肢の掌球Ｙは爪カバーの袋から出し、又は後肢の足底球Ｙは爪カバーの袋から出し、爪Ｗ及び指球Ｚは爪カバーの袋に入れ、爪カバーを前肢に装着するときは狼爪をベルトＥで包み込み、犬猫等が室内等の床面の上を滑らず自由に走れるようにした、以上のことを特徴とする爪カバー。
【手続補正２】
【補正対象書類名】明細書
【補正対象項目名】０００２
【補正方法】変更
【補正の内容】
【０００２】
【従来の技術】
犬猫等の足にソックス等を履かせ、犬猫等の肉球がソックス等によって隠れてしまうので、犬猫等は室内等の床面で滑ってしまう。先行技術文献としては、特開平１０−６６４７２号公報、特開平１１−３２６１５号公報および実開平５−３９２６１号公報などがある。